【事件の表示】
　特許第２８１３３４６号「自動眼屈折力測定装置」の特許に対する特許異議の申立てについて、次のとおり決定する。
【結　論】
　訂正を認める。
　特許第２８１３３４６号の特許を維持する。
【理　由】
１．手続の経緯
　特許第２８１３３４６号に係る発明についての出願は、昭和６２年１１月１３日に特願昭６２−２８６８０８号として特許出願がなされ、平成１０年８月７日にその発明について特許の設定登録がなされた後、株式会社ニデックより特許異議の申立てがなされ、１回目の取消理由通知がなされ、その後２回目の取消理由通知がなされ、その指定期間内である平成１２年６月１２日に訂正請求がなされたものである。
　
２．訂正の適否についての判断
ア）訂正の内容
　特許権者が求めている訂正の内容は次の訂正事項ａ−１、ａ−２、ａ−３、ａ−４，ｂのとおりである。
［ａ−１］【特許請求の範囲】の「前記光電素子により検出された信号を画像信号として記憶する記憶部と、」を、「
測定開始スイッチの操作に基づき
［ａ−２］【特許請求の範囲】の「前記記憶部に記憶された画像信号に基づき前記被検眼の屈折度数を算出する演算部と、」を、「測定開始スイッチの操作に基づき前記光電素子により検出された信号を画像信号として記憶する記憶部と、」の直後に移行する。
［ａ−３］【特許請求の範囲】の「該記憶部に記憶された画像信号に基づき屈折力測定用パターン像を表示する表示部と、」を、「
前記演算部で算出された測定結果を表示した後、切換えスイッチで前記測定結果の信頼性をチェックするため前記記憶部に記憶された画像信号に基づき屈折力測定用パターン像を表示する表示部とを備え、前記切換えスイッチは、前記表示部に被検眼前眼部像を観察するための被検眼前眼部像と前記屈折力測定用パターン像とを切換表示するためのものである
［ａ−４］【特許請求の範囲】の「を備えた自動眼屈折力測定装置。」を、「
ことを特徴とする
［ｂ］【発明の詳細な説明】の（問題点を解決するための手段）の、
「被検眼眼底に投影された屈折力測定用パターン像の被検眼眼底における反射像が結像される光電素子と、この光電素子により検出された信号を画像信号として記憶する記憶部と、この記憶部に記憶された画像信号に基づき屈折力測定用パターン像を表示する表示部と、その記憶部に記憶された画像信号に基づきその被検眼の屈折度数を算出する演算部と、を備えた点にある。」とあるのを、
「測定開始スイッチの操作に基づき前記光電素子により検出された信号を画像信号として記憶する記憶部と、前記記憶部に記憶された画像信号に基づき前記被検眼の屈折度数を算出する演算部と、前記演算部で算出された測定結果を表示した後、切換えスイッチで前記測定結果の信頼性をチェックするため前記記憶部に記憶された画像信号に基づき屈折力測定用パターン像を表示する表示部とを備え、
前記切換えスイッチは、前記表示部に被検眼前眼部像を観察するための被検眼前眼部像と前記屈折力測定用パターン像とを切換表示するためのものであることを特徴とする。」と訂正する。
　
イ）訂正の目的の適否、新規事項の有無及び拡張・変更の存否
　訂正事項ａ−１は、「前記光電素子により検出された信号を画像信号として記憶する記憶部」に「測定開始スイッチの操作に基づき」の構成を付加するものであり、特許請求の範囲の減縮を目的とするものである。
　そしてこの訂正は、特許明細書において、「検者はアライメントが完了すると、コントロールスイッチ３０８の測定開始スイッチ３０８２をＯＮにする。・・・・演算・制御回路３０１は、光源４０、４１、４２の消燈期間中にドライバ回路３１４、３１５に作動指令を行ない、光源１０２、２００を点燈させる。以後、角膜曲率半径、他覚屈折力測定が終了するまでの間、光源４０、４１、４２と光源１０２、２００の点燈とが交互に行われる。・・・・角膜計測光ａは、光源１０２の発光によって角膜計測用のパターンである円環状開口１００を通って角膜Ｃに投影される。その角膜Ｃに基づく虚像１００’は、角膜計測系１の測定光学系１１によってエリアＣＣＤ５の中央の角膜計測エリア５ａ内（第６図参照）に結像される。その光源１０２の発光と同時に、他覚屈折力計測系２の発光ダイオード２００も屈折力計測光ｂを発光し、被検眼Ｅの眼底ＥＲにリングパターン像２００’が投影され、このリングパターン２００’の眼底反射光が測定光学系２１を介してエリアＣＣＤ５の周辺部の屈折力計測エリア５ｂに投影される。
　演算・制御回路３０１が駆動回路３１３を作動させ、エリアＣＣＤ５が走査されるの、その画像出力すなわち角膜計測用パターン像１００”と屈折力計測用パターン２０３”の画像出力とがゲート回路３０２とＡ／Ｄ変換器３０３とに出力される。Ａ／Ｄ変換器３０３はエリアＣＣＤ５からのアナログ信号をＡ／Ｄ変換し、そのデジタル信号はフレームメモリ３２４に入力される。フレームメモリ３２４には一画面分の情報が記憶されるもので、フレームメモリ３２４は演算・制御回路３０１とＤ／Ａ変換器３２４’とに一画面分の情報を出力する。」（特許公報９欄１５行−１０欄１行）との記載があることから、願書に添付した明細書または図面に記載した事項の範囲内の補正であり、実質上特許請求の範囲を拡張し又は変更するものではない。
　訂正事項ａ−３は、表示部の構成に、「前記演算部で算出された測定結果を表示した後、切換えスイッチで前記測定結果の信頼性をチェックするため」及び「前記切換えスイッチは、前記表示部に被検眼前眼部像を観察するための被検眼前眼部像と前記屈折力測定用パターン像とを切換表示するためのものである」の構成を付加し、表示部の機能を限定しようとしたものであり、特許請求の範囲の減縮を目的とするものである。
　そしてこの訂正は、特許明細書において、「表示器３０５は、例えば、ＣＲＴ、液晶テレビ、あるいはプラズマディスプレイからなり、通常はエリアＣＣＤ５からのアナログ信号を受けて、前眼部像ＥＡ、アライメント指標像４１’（第９図参照）を表示するものである。」（特許公報７欄１１−１５行）、「表示器３０５は第９図（ａ）、（ｂ）に示すように前眼部像ＥＡ、照準スケール像４４’、アライメント指標像４１’として画像表示する。」（同８欄４３−４６行）、「ここで、得られた測定データとしての屈折力が信頼のおけるものか否かを判断するために、切り換えスイッチ３５１をオンすると、演算制御回路３０１の制御により、ゲート回路３０２がＤ／Ａ変換器３２４からのアナログ信号ディスプレイインターフェース３０４に向かって出力させる。これによって、表示器３０５には、たとえば、第９図（ｃ）に示すように屈折力測定用パターン像２０３”が表示される。この第９図（ｃ）において、２０３Ａ”はまつ毛等の影響を受けてゆがみの生じた部分を示している。」（同１２欄３８−４６行）との記載があり、願書に添付した明細書又は図面に記載した事項の範囲内の訂正であり、また、実質上特許請求の範囲を拡張し又は変更するものでもない。
　訂正事項ａ−２は、もともと出願当初の明細書の特許請求の範囲に記載されていた構成要件であり、記載の内容をより一層明確にするため順番を単に入れ替えただけであり、訂正事項ａ−４についても、前後の文章との関係で用語を変更して特許請求の範囲の記載を明確にしたものであり、さらに訂正事項ｂは、特許請求の範囲の記載と詳細な説明の記載を整合させるための補正であり、これらの訂正は明りょうでない記載の釈明を目的とするものであり、願書に添付した明細書又は図面に記載した事項の範囲内の訂正であり、また、実質上特許請求の範囲を拡張し又は変更するものではない。
　
ウ）独立特許要件
（訂正明細書の特許請求の範囲に記載された発明）
　訂正明細書の特許請求の範囲に記載された発明（以下、「本件発明」という。）は、その特許請求の範囲に記載された次のとおりのものである。
「被検眼眼底にパターン像を投影して被検眼の眼底反射像を測定光学系を介して光電素子上に投影し、該光電素子により検出された信号に基づいて前記被検眼の眼屈折度数を測定する自動眼屈折力測定装置において、
　測定開始スイッチの操作に基づき前記光電素子により検出された信号を画像信号として記憶する記憶部と、前記記憶部に記憶された画像信号に基づき前記被検眼の屈折度数を算出する演算部と、
　前記演算部で算出された測定結果を表示した後、切換えスイッチで前記測定結果の信頼性をチェックするため前記記憶部に記憶された画像信号に基づき屈折力測定用パターン像を表示する表示部とを備え、前記切換えスイッチは、前記表示部に被検眼前眼部像を観察するための被検眼前眼部像と前記屈折力測定用パターン像とを切換表示するためのものであることを特徴とする自動眼屈折力測定装置。」
　
（引用刊行物）
　当審が通知した取消理由で引用した刊行物１（特開昭６２−２３１６１７号公報）、刊行物２（特開昭６２−２２４３５０号公報）、刊行物３（特開昭６２−１３５９８２号公報）には以下の事項が記載されている。
刊行物１）
「モニタ上で形状認識より検者が眼屈折度情報を簡便に把握できる眼屈折度測定装置」（２頁右上欄２−４行）であって、
「面積型開口は従来のスポット型開口と異なり開口部がスポット（点）とみなせられない所定の大きさを有するものであり、開口部の異なる点が異なる径線方向のスポット型開口に相当する。
　第１図において、光源１から発した光は第１のレンズ２を経て第１の開口絞り３の開口３ａを通り、ミラー４の上方を通過し、更に対物レンズ５を経て被検眼Ｅの眼底Ｅｒに光源像を投影する。そして、眼底Ｅｒからの反射光は右行して、対物レンズ５を通ってミラー４により下方に反射され、第２の開口絞り６の開口６ａ及び第２のレンズ７を経て受光面８に到達する。なお、受光面８は光源１と略共役に設けられる。
　受光面８からの出力は画像メモリ９を介してモニタ１１の上部に表示される。一般にはモニタ１１の上部に、後に詳述する如き楕円の上半分１２ａ，１２ｂ，１２ｃが連続的に形成される。そして仮想の包絡線１２も相似の半楕円となる。包絡線１２の半楕円の大きさは近視、遠視の度合いに比例し正視眼に近づくにつれ半楕円の大きさは小さくなり正視眼に場合には点となる。なお、楕円となるのは乱視があるからであって乱視のない場合は正円となる。又、近視、遠視の区別は半楕円が上向きか下向きかでなされる。モニタ１１の下部には受光面８の出力を演算手段８（１０の誤記と認められる）で演算した結果すなわち球面度ＳＰＨ、乱視度ＣＹＬ、乱視軸方向ＡＸが表示され更に包絡線１２が表示される。」（２頁左下欄１０行〜右下欄１８行）ものであり、
「受光面８に二次元光位置検出素子を配置しておけば、光の強度分布から楕円像の長軸方向の半径、短軸方向の半径を及び傾きを測定して、眼の屈折力に関する全ての情報を得ることができる。これにより不正乱視の被検眼に対しても眼屈折度を精確に測定できる。又、第１図に示した如く、モニタ上で形状認識より検者が眼屈折度情報を簡便に把握することもできる。」（４頁左上欄４〜１１行）ことが記載されている。
　さらに第１図を参照すると、受光面８からの信号が２つ出力され、一方が画像メモリ９を経由してモニタ１１の上部へ楕円の上半分及び仮想の包絡線として表示され、他方が演算手段１０を経由してモニタ１１の下部へ包絡線と眼屈折度に関する演算結果として表示されることが図示されている。
刊行物２）
　「撮像部材からの信号を時分割して被検眼の映像と前記測定用の光源像位置データとを得て、映像の記録と共に角膜曲率半径を求めることを特徴とした医用双眼顕微鏡であ」（１頁右下欄２０行−２頁左上欄４行）って、
「光源４ａ〜４ｄは被検眼Ｅの角膜に像４ａ’〜４ｄ’を形成する。ここで、対物レンズ１を通った光束の一部は、変倍レンズ２ｂを通り光分割部材５で反射され、フィルタ６，結像レンズ７，絞り８を通り撮像部材９に至る。この撮像部材９としては例えば撮像管又は二次元エリアセンサアレイが用いられ、撮像部材９上に映った像を第３図に示す。第３図（ａ）は被検眼Ｅの前眼部の像であって記録用であり、（ｂ）は曲率半径測定用であって、角膜反射像４ａ’〜４ｄ’の像４ａ”〜４ｄ”が写って」（２頁右上欄６−１６行）おり、
「撮像部材９から出力される信号の処理回路について第７図により説明する。この第７図において、２０は撮像手段としてのＴＶカメラ、２１は観察用モニタであり、観察用モニタ２１は第３図（ａ）の映像及び（ｂ）の像を表示する。２２はプロセッサ、２３は画像メモリであり、画像メモリ２３は（ｂ）の撮像信号の各画素に対応したアドレスに二値化データを記憶しておくものであ」（３頁左上欄１２−２０行）って、
「プロセッサ２２は画像メモリ２３に保持された二値化データの読み出しを行って、第５図（ｂ）に示すような方法によりデータから像４ａ''、４ｂ''、４ｃ''、４ｄ''の各点の中心位置を演算し、更に各点の距離の計算と基準座標とのずれ量の計算を行い、これらの結果から角膜の曲率半径・角膜乱視度・角膜乱視軸角度の演算を行い、演算の結果は表示器２９により表示をする。」（３頁左下欄３−１１行）ものであって、
「測定光源は実施例のように点状光源４を複数個設けて、その像の相対的位置から角膜形状を求めてもよいし、リング状光源を使用してその像の形状から求めてもよい。」（３頁左上欄５−８行）ものが記載されている。
刊行物３）
　「画像計測においては、テレビジョンカメラ等のセンサより入力された画素データは各種走査信号に同期して画像メモリに１度記憶された後、マイクロプロセッサのソフトウエア処理により隣接する画素空間に対して各種論理演算を行ない、基準値に対する変化量を測定及び判定するための特徴量を抽出するのが一般的である。」（１頁左下欄１８行−右下欄５行）ことが記載されている。
　
（対比・判断）
　本件発明と刊行物１乃至３記載の発明とを比較すると、
刊行物１には、「被検眼眼底に光源像を投影して被検眼の眼底反射光をレンズを介して受光面上に投影し、該受光面により検出された信号に基づいて前記被検眼の眼屈折度を測定する眼屈折度測定装置において、前記受光面により検出された信号を記憶する画像メモリと、上記信号に基づき被検眼の屈折度を演算する演算手段と、演算手段で演算された屈折度と画像メモリに記憶された楕円像を表示するモニタを有する眼屈折度測定装置。」が、
刊行物２には、「被検眼角膜に光源像を投影して被検眼の角膜反射像をレンズを介して撮像部材上に投影し、該撮像部材により検出された信号に基づいて前記被検眼の角膜曲率半径を測定する医用双眼顕微鏡において、撮像部材により検出された信号を記憶する画像メモリと、画像メモリに記憶された信号に基づき被検眼の角膜の曲率半径を演算するプロセッサと、角膜反射像と被検眼前眼部像を表示する観察用モニタからなる医用双眼顕微鏡。」が、
刊行物３には、「画像計測において、センサより入力された画素データを画像メモリに１度記憶した後、ソフトウエア処理により各種論理演算を行うこと。」が、
記載されているものの、刊行物１乃至３には、本件発明の構成要件である「演算部で算出された測定結果を表示した後、切換えスイッチで前記測定結果の信頼性をチェックするため前記記憶部に記憶された画像信号に基づき屈折力測定用パターン像を表示する表示部とを備え、前記切換えスイッチは、前記表示部に被検眼前眼部像を観察するための被検眼前眼部像と前記屈折力測定用パターン像とを切換表示するためのものであること」が記載されていない。
　そして当該構成要件により、眼屈折力の測定後に切替えスイッチにより、演算の基になる画像を表示することによって、測定の瞬間での被検眼のパターン像をもチェックすることができ、より信頼性の高い結果を得ることができるという、顕著な効果を奏するものと認められる。
　したがって、本件発明が上記刊行物１乃至３に記載のものから容易に発明をすることができたものとはいえず、本件発明は特許出願の際独立して特許を受けることができるものである。
　
エ）むすび
　以上のとおりであるから、上記訂正は、特許法等の一部を改正する法律（平成６年法律第１１６号、以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書、第２項及び第３項の規定に適合するので、当該訂正を認める。
　
３．特許異議の申立てについての判断
ア）本件発明
　本件発明は、訂正後の特許請求の範囲に記載されたとおりのものである。
　
イ）申立の理由の概要
　申立人株式会社ニデックは、甲第１号証（特開昭６２−２３１６１７号公報；上記刊行物１と同じ。）、甲第２号証（特開昭６２−２２４３５０号公報；上記刊行物２と同じ。）、甲第３号証（特開昭６０−１０６４３４号公報）、甲第４号証（特開昭６２−１３５９８２号公報；上記刊行物３と同じ。）、甲第５号証（「画像認識技術」、特許庁ホームページ「技術分野別の特許マップ」）に基づいて当業者が容易に発明をすることができたものであるから、特許法第２９条第２項に該当し、本件特許は取り消されるべきものと主張している。
　
　ウ）当審の判断
　上記２．ウ）で述べたように、甲第１、２号証及び甲第４号証に記載された発明は、本件発明を開示ないしは示唆するものではない。
　また、甲第３号証及び甲第５号証について検討しても、甲第３号証には「被検眼眼底に視標を投影して被検眼の眼底反射像をレンズ及び検出光学系を介して受光手段上に投影し、受光手段により検出された信号に基づいて被検眼の屈折力を測定する眼科用計測装置。」が、
甲第５号証には「画像認識技術の歴史的変遷」が、
記載されているのみで、上記２．ウの（対比・判断）で述べた本件発明の構成要件は開示も示唆もされていない。
　したがって、本件発明は、甲第１〜５号証に記載された発明に基づいて当業者が容易に発明をすることができたものではない。
　
エ）むすび
　以上のとおりであるから、特許異議申立ての理由及び証拠によっては、本件発明について特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年６月２２日（２０００．６．２２）
【訂正の要旨】
［ａ−１］
　特許請求の範囲の減縮を目的として、【特許請求の範囲】の「前記光電素子により検出された信号を画像信号として記憶する記憶部と、」を、「
測定開始スイッチの操作に基づき
［ａ−２］
　明りょうでない記載の釈明を目的として、【特許請求の範囲】の「前記記憶部に記憶された画像信号に基づき前記被検眼の屈折度数を算出する演算部と、」を、「測定開始スイッチの操作に基づき前記光電素子により検出された信号を画像信号として記憶する記憶部と、」の直後に移行する。
［ａ−３］
　特許請求の範囲の減縮を目的として、【特許請求の範囲】の「該記憶部に記憶された画像信号に基づき屈折力測定用パターン像を表示する表示部と、」を、「
前記演算部で算出された測定結果を表示した後、切換えスイッチで前記測定結果の信頼性をチェックするため前記記憶部に記憶された画像信号に基づき屈折力測定用パターン像を表示する表示部とを備え、前記切換えスイッチは、前記表示部に被検眼前眼部像を観察するための被検眼前眼部像と前記屈折力測定用パターン像とを切換表示するためのものである
［ａ−４］
　明りょうでない記載の釈明を目的として、【特許請求の範囲】の「を備えた自動眼屈折力測定装置。」を、「
ことを特徴とする
［ｂ］
　明りょうでない記載の釈明を目的として、【発明の詳細な説明】の（問題点を解決するための手段）の、
「被検眼眼底に投影された屈折力測定用パターン像の被検眼眼底における反射像が結像される光電素子と、この光電素子により検出された信号を画像信号として記憶する記憶部と、この記憶部に記憶された画像信号に基づき屈折力測定用パターン像を表示する表示部と、その記憶部に記憶された画像信号に基づきその被検眼の屈折度数を検出する演算部と、を備えた点にある。」を、
「測定開始スイッチの操作に基づき前記光電素子により検出された信号を画像信号として記憶する記憶部と、前記記憶部に記憶された画像信号に基づき前記被検眼の屈折度数を検出する演算部と、前記演算部で算出された測定結果を表示した後、切換えスイッチで前記測定結果の信頼性をチェックするための前記記憶部に記憶された画像信号に基づき屈折力測定用パターン像を表示する表示部とを備え、
前記切換えスイッチは、前記表示部に被検眼前眼部を観察するための被検眼前眼部像と前期屈折力測定用パターン像とを切換表示するためのものであることを特徴とする。」と訂正する。
（５４）【発明の名称】
自動眼屈折力測定装置
（５７）【特許請求の範囲】
　被検眼眼底にパターン像を投影して被検眼の眼底反射像を測定光学系を介して光電素子上に投影し、該光電素子により検出された信号に基づいて前記被検眼の眼屈折度数を測定する自動眼屈折力測定装置において、
　測定開始スイッチの操作に基づき前記光電素子により検出された信号を画像信号として記憶する記憶部と、前記記憶部に記憶された画像信号に基づき前記被検眼の屈折度数を算出する演算部と、
　前記演算部で算出された測定結果を表示した後、切換えスイッチで前記測定結果の信頼性をチェックするため前記記憶部に記憶された画像信号に基づき屈折力測定用パターン像を表示する表示部とを備え、前記切換えスイッチは、前記表示部に被検眼前眼部像を観察するための被検眼前眼部像と前記屈折力測定用パターン像とを切換表示するためのものであることを特徴とする自動眼屈折力測定装置。
【発明の詳細な説明】
　（産業上の利用分野）
　本発明は、被検眼の眼屈折力を測定する自動眼屈折力測定装置に関するものである。
　（従来の技術）
　従来から、被検眼の眼屈折力を測定する自動眼屈折力測定装置としては、被検眼の眼底に屈折力測定用パターン像を投影してその被検眼の眼底反射像を測定光学系を介して光電素子上に投影し、この光電素子からの信号をあらかじめ記憶し、この記憶された信号に基づいて被検眼の眼屈折力を演算測定し、測定データとしての球面屈折力Ｓ、円柱屈折力Ｃ　、円柱軸角度θの値を表示部に表示するようにしたものがある。
　（発明が解決しようとする問題点）
　この従来のものにあっては、眼屈折力の測定データを表示部に表示し得る構成になっているが、光電素子上に形成されかつ記憶された屈折力演算の基になる測定用パターン像を画像として表示するようにはなっていないため、まつ毛又はまばたきあるいは瞳孔の開き具合等による影響を受けて屈折力測定用パターン像にゆがみ、欠陥等の異常が生じている場合にこれを知ることができず、このような正常な屈折力測定用パターン像に基づく測定データを用いると正確な測定結果が得られず、結果として得られた測定データが信頼に足るものか否かの判断を容易に行ない難いという不都合がある。
（発明の目的）
　本発明は上記問題点に着目してなされたもので、被検眼の測定データの信頼性、被検眼の測定状態を視覚的に判断できる自動眼屈折力測定装置を提供することを目的とする。
（問題点を解決するための手段）
上記目的を達成するため、本発明にかかる自動眼屈折力測定装置は、被検眼眼底にパターン像を投影して被検眼の眼底反射像を測定光学系を介して光電素子上に投影し、該光電素子により検出された信号に基づいて前記被検眼の眼屈折度数を測定するものにおいて、
　測定開始スイッチの操作に基づき前記光電素子により検出された信号を画像信号として記憶する記憶部と、前記記憶部に記憶された画像信号に基づき前記被検眼の屈折度数を算出する演算部と、
　前記演算部で算出された測定結果を表示した後、切換えスイッチで前記測定結果の信頼性をチェックするため前記記憶部に記憶された画像信号に基づき屈折力測定用パターン像を表示する表示部とを備え、前記切換えスイッチは、前記表示部に被検眼前眼部像を観察するための被検眼前眼部像と前記屈折力測定用パターン像とを切換表示するためのものであることを特徴とする。
（作用）
　本発明に係る自動眼屈折力測定装置では、測定データを得るための屈折力測定用パターン像を表示部に表示するようにしたので、得られた測定データが信頼に
足るものか否かを視覚的に判断できる。
（実施例）
Ｉ−Ａ．全体の光学配置
　第１図は本発明に係る自動眼屈折力測定装置を含む検眼装置の光学配置を示すものである。この検眼装置は被検眼Ｅの角膜Ｃの曲率半径を計測するための角膜計測系１と、被検眼Ｅの屈折力を他覚的に測定するための他覚屈折力計測系２と、被検眼の視軸を測定中に固定するために被検眼Ｅを固視させる固視標と自覚検査用の視標とを投影する固視・自覚計測系３と、被検眼Ｅの前眼部観察と装置光軸と被検眼視軸とのアライメントとを行なうための前眼部観察・アライメント系４とから大略構成されている。なお、この前眼部観察・アライメント系４の光路は、その一部が角膜計測系１の光路と共用されている。
Ｉ−Ｂ．角膜計測系１
　角膜計測系１は、角膜の曲率半径を測定するための円環状パターンを角膜に向けて投影するためのパターン投影系１０と、その円環状パターンの角膜反射像の大きさと形状とを測定するための測定光学系１１とに大別されている。パターン投影系１０は、円環状開口１００を有するパターン板１０１とこの開口１００の後方に配置されて波長９３０ｎｍ〜１０００ｎｍの角膜計測光（以下、この角膜計測光に符号ａを付す）を発光する円環状光源１０２とから構成されている。光源１０２からの出射光は開口１００を通って、被検眼Ｅの角膜Ｃに投影光として投影される。その投影光は角膜Ｃで反射され、開口１００の虚像１００’を作る。角膜Ｃで反射された角膜計測光ａは虚像１００’をあたかも射出したかの如くして測定光学系１１に入射する。
　測定光学系１１は、対物レンズ１１０と、波長４００ｎｍ〜７００ｎｍの可視光（以下、この可視光に符号。を付す）は反射しかつ角膜計測光ａ（波長９３０ｎｍ〜１０００ｎｍ）を含んで波長８００ｎｍ以上の長波長域の光を透過させるハーフミラー１１１と、波長８６５ｎｍの赤外光（以下、この赤外光に符号ｂを付す）は透過させかつ波長９００ｎｍ以上の赤外光は反射するハーフミラー１１２と、リレーレンズ１１３と、絞り１１４と、波長７００ｎｍの赤色光（以下、この赤色光に符号ｄを付す）は透過させかつ角膜計測光ａは反射するハーフミラー１１５と、リレーレンズ１１６と、赤外光ｂを反射しかつ角膜計測光ａと赤色光ｄとは透過させるハーフミラー１１７と、結像レンズ１１８と、光電素子としてのエリアＣＣＤ５とから構成されている。
　ここで、絞り１１４は、第３図に示すように、周辺部１１４ａと中央部１１４ｂとに２分されている。周辺部１１４ａは波長９３０ｎｍ以上の光はカットし、中央部１１４ｂは波長９００ｎｍ以上の光を透過させるように構成されている。すなわち、９００ｎｍ以上の光であって９３０ｎｍ以下の光（以下、この光に符号ｅを付す）は絞り１１４の全域で透過可能である。角膜Ｃで反射された角膜計測光ａは、対物レンズ１１０で集光された後、ハーフミラー１１１を透過する。そして、その角膜計測光ａはハーフミラー１１２で反射され、リレーレンズ１１３を介して絞り１１４の中央部１１４ｂを通過する。その後、その角膜計測光ａはハーフミラー１１５で反射され、リレーレンズ１１６によって、ハーフミラー１１７に導かれ、そのハーフミラー１１７を通過する。その角膜計測光ａは、結像レンズ１１８によってエリアＣＣＤ５上に角膜計測用リングパターン１００”（第６図、第７図参照）として結像される。
　角膜計測光ａの投影による開口１００の虚像１００’の形成時に、被検眼前眼部（虹彩）が照明されたとしも、その反射光は絞り１１４の周辺部１１４ａでカットされるので、エリアＣＣＤ５には到達せず、角膜パターン１００”がエリアＣＣＤ５に大略投影されることになる。
　Ｉ−Ｃ．他覚屈折力計測系２
　Ｃ−１：パターン投影系２０
　第２図（ａ）は第１図に示すパターン投影系２０の光路図である。発光ダイオード２００から発光された波長８６５ｎｍの屈折力計測光（上述の赤外光ｂ）はコンデンサーレンズ２０１で集光された後、円錐状プリズム２０２で屈折され、屈折力計測用のリングパターン２０３に照射される。リングパターン２０３を通過した屈折力計測光ｂはリレーレンズ２０４、ミラー２０５（第１図参照）、リレーレンズ２０６を介してリング絞り２０７に照射される。屈折力計測光ｂはリング絞り２０７を通過した後穴開きミラー２０８の反射面２０８ａで反射される。そして、その後、屈折力計測光ｂはミラー２０９で反射され、角膜計測系１の測定光学系１１の構成要素としてのハーフミラー１１２、１１１を通過し、対物レンズ１１０によって被検眼Ｅの眼底ＥＲにリングパターン２０３の像２０３’（第２図参照）として投影される。ここで、発光ダイオード２００とリング絞り２０７とは光学的に共役であり、かつ、リング絞り２０７と被検眼Ｅの瞳孔ＥＰとは光学的に共役な位置にある。
Ｃ−２：測定光学系２１
　第２図（ｂ）は第１図に示す測定光学系２１の光路図である。被検眼Ｅの眼底ＥＲで反射されたリングパターン像２０３’の光は対物レンズ１１０によって集光される。そして、その光はハーフミラー１１１、１１２を透過した後、ミラー２０９で反射され、穴開きミラー２０８の開口部２０８ｂを通過して絞り２１０を通る。屈折力計測光ｂは絞り２１０を通ってリレーレンズ２１１を通った後、可視光ｃを透過させるハーフミラー２１２で反射され、リレーレンズ２１３、ミラー２１４を介して絞り２１５に照射される。この絞り２１５は第４図に示すように波長８６５ｎｍの屈折力計測光ｂを透過させる周辺部２１５ｂと、その屈折力計測光ｂをカットする中央部２１５ａとを有する。
　また、この絞り２１５はその全領域において、波長９３０ｎｍ〜１０００ｎｍの角膜計測光ａは不透過であり、かつ、４００ｎｍ〜７００ｎｍの可視光ｃは透過させる特性を有する。これにより、屈折力計測光ｂは絞り２１５の周辺部２１５ｂのみを通過し、合焦レンズ２１６を介して可視光ｃは反射しかつ屈折力計測光ｂは透過させるハーフミラー２１７を通過した後、角膜計測系１の測定光学系１１のハーフミラー１１７で反射され、結像レンズ１１８によって、エリアＣＣＤ５上にリングパターン像２０３”（第６図、第７図参照）として結像される。
　合焦レンズ２１６と絞り２１５とはパターン投影系２０の発光ダイオード２００、コンデンサレンズ２０１、円錐状プリズム２０２、リングパターン２０３と一体に移動筐体部２１９内に収納され、第１図に矢印２１８で示すように光軸方向に移動可能である。
　以上の測定光学系２１において、絞り２１０は対物レンズ１１０に関して被検眼Ｅの瞳孔ＥＰの位置と光学的に共役であり、かつ、受光素子５は被検眼Ｅが正視（屈折力Ｏ　Ｄｉｏｐｔｅｒ）のときのリングパターン２０３の中間結像面Ａ（第２図参照）と光学的に共役である。
Ｉ−Ｄ．固視及び自覚計測系３
　光源３０によって発光された波長４００ｎｍ〜７００ｎｍの可視光ｃはコンデンサレンズ３１で集光され、チャート板３２を照明する。
　チャート板３２には、例えば第１０図に示すように固視標としてのサンバーストチャート（固視チャート）３２ａ、自覚検査用の視力表チャート３２ｂ、乱視チャート３２ｃ、クロスシリンダーチャート３２ｄ、レッドグリーンチャート３２ｅが周回り方向に配置され、各チャートは軸３４の回りに回転されることによって選択的に光路内に挿入される。
　チャート３２ａ〜３２ｅの像は投影レンズ３５によって被検眼Ｅに投影されるもので、ミラー３６で反射された後、ハーフミラー２１７で反射され、他覚屈折力計測系２の測定光学系２１に合流し、合焦レンズ２１６を介して絞り２１５を通過し、ミラー２１４、リレーレンズ２１３を介してハーフミラー２１２に導かれ、ハーフミラー２１２を通過し、バリアブルクロスシリンダ３７に導かれる。可視光ｃはそのバリアブルクロスシリンダ３７を通過し、ミラー３８を介してハーフミラー１１１で反射され、対物レンズ１１０によって被検眼Ｅに投影され、そのチャート３２ａ〜３２ｅが被検眼によって観察される。
　また、チャート板３２の近傍には光路内に挿入されたチャート３２ａ〜３２ｅの挿入位置外周付近にグレアテスト用の可視光を発光するためのグレア光源３３が複数個配置されている。このグレアテスト用の光源３３は、対物レンズ１１０の近傍に配置することもできる。また、グレアテストを行なうために、光源３３を設ける代りに、たとえば、視力表チャート３２ｂの視表とベースとのコントラストを変える構成とすることもできる。
１−Ｅ．前眼部観察及びアライメント系
　角膜計測系１のパターン投影系１０のパターン板１０１　の外側には、複数の前眼部照明用発光ダイオード４０が配置され、その各発光ダイオード４０から発光された波長９００ｎｍの赤外光（以下、この赤外光に符号ｅを付す）は、被検眼Ｅの前眼部を照明する。その前眼部で反射された赤外光（前眼部照明光）ｅは対物レンズ１１０によって集光された後、ハーフミラー１１１を通過し、前述の角膜計測系１の測定光学系１１に沿って伝搬され、結像レンズ１１８によってエリアＣＣＤ５上に結像される。
　対物レンズ１１０の外周部近傍には波長９００ｎｍの赤外光を発する複数の発光ダイオード４１が配置され、この複数の発光ダイオード４１がアライメント用光源である。このアライメント用光源４１から発光されたアライメント光（以下、このアライメント光に符号ｆを付す）は被検眼Ｅで反射された後、対物レンズ１１０により集光され、前眼部照明光ｅと同様にハーフミラー１１１を通過後、角膜計測系１の測定光学系１１に導かれ、結像レンズ１１８によりエリアＣＣＤ５上に結像される。
　角膜計測系１の測定光学系１１のハーフミラー１１５の前方には照準スケール投影光学系が配置されている。この照準スケール投影系は、波長７００ｎｍの赤色光（前述の光ｄに相当する。以下、スケール光という）を発光する発光ダイオード４２と、発光ダイオード４２からのスケール光ｄを集光する集光レンズ４３と、照準スケール４４を通過したスケール光を反射して測定光学系１１に合流させるためのミラー４５とから構成されている。
　照準スケール４４からのスケール光ｄは、ハーフミラー１１５を透過後、測定光学系１１を介してその結像レンズ１１８によってエリアＣＣＤ５上に結像される。
ＩＩ．電気回路構成
　第５図は本検眼装置のブロック回路図である。駆動回路３１３は演算・制御回路３０１の指令を受けてエリアＣＣＤ５を走査し、その受像画像は増幅器５’により増幅されてアナログ信号として出力される。
　演算・制御回路３０１はアナログスイッチとしてのゲート回路３０２を制御する。ゲート回路３０２はエリアＣＣＤ５からのアナログ信号又はＤ／Ａ変換器３２４’からのアナログ信号あるいは後述する機能を有するキャラクタ回路３０６からの信号をディスプレイインターフェイス３０４を介して表示器３０５に出力する。表示器３０５は、例えば、ＣＲＴ、液晶テレビ、あるいはプラズマディスプレイからなり、通常はエリアＣＣＤ５からのアナログ信号を受けて、前眼部像ＥＡ、アライメント指標像４１’（第９図参照）を表示するものである。
　Ａ／Ｄ変換器３０３はエリアＣＣＤ５からのアナログ信号をデジタル信号に変換する機能を有する。そのデジタル信号はフレームメモリ３２４に入力される。フレームメモリ３２４にはエリアＣＣＤ５の少なくとも一画面のデータが記憶される。また、演算制御回路３０１はパルス発生器３１２からのパルスをドライバ回路３１８、３１９、３２０に選択的に供給する機能を有すると共に、そのパルス数を計数し、その計数値を信号として第１メモリー３０９に出力する機能を有し、この第１メモリー３０９はその計数値を記憶する。
　ドライバ回路３１８は演算制御回路３０１からのパルスを屈折力計測系２の移動筐体部駆動用のパルスモータ３２１に供給し、このパルスモータ３２１を駆動する。ドライバ回路３１９は固視・自覚計測系３のチャート板３２の回転用のパルスモータ３２２にパルスを供給してこのパルスモータ３２２を駆動する。ドライバ回路３２０はＶＣＣ３７を回動させるためのパルスモータ３２３にパルスを供給し、このパルスモータ３２３を駆動する。
　また、演算・制御回路３０１にはドライバ回路３１４〜３１７、３２５〜３２７が接続されている。ドライバ回路３１４は角膜計測系１の円環状光源１０２に接続され、図示略の電源回路による円環状光源１０２への電力供給を演算・制御回路３０１の指令に基づいて行なう。ドライバ回路３１５は屈折力計測系２の発光ダイオード２００への電力供給を演算・制御回路３０１の指令に基づいて行なう。なお、ドライバ回路３１４、３１５は演算・制御回路３０１の指令により同時に作動するように、すなわち、光源１０２と発光ダイオード２００とが同時に点燈・消燈するように構成されている。
　ドライバ回路３１６は、前眼部観察・アライメント系４の前眼部照明光源４０に、ドライバ回路３１７はアライメント光源４１に、ドライバ回路３２５は照準スケール用光源４２に、ドライバ回路３２７はグレア光源３３に各々接続されており、これらへの電力供給も演算・制御回路３０１の指令に基づいて行なう。なお、ドライバ回路３１６、３１７、３２５は演算制御回路３０１の共通の指令によって作動され、光源４０、４１、４２は同時に点燈・消燈するように構成されている。また、ドライバ回路３２６は固視・自覚計測系３の光源３０と接続され、この光源３０への電力供給を制御回路３０１の指令に基づいて行なう。
　さらに、演算制御回路３０１には測定された強・弱各主経線の軸角度と各曲率半径とを記憶する第２メモリ３１０と、測定された屈折力に基づく球面度数、円柱度数、軸角度を記憶する第３メモリ３１１とが各々接続されている。これら、メモリ３１０、３１１はビデオメモリ３５０を構成している。なお、強・弱各主経線の軸角度、各曲率半径、屈折力に基づく球面度数、円柱度数、軸角度の測定については後述する。
　演算・制御回路３０１には演算・制御用のプログラムを記憶したプログラムメモリ３０７と、第１１図に示すように測定開始、自覚計測時のチャート選択等の各種スイッチを有するコントロールスイッチ３０８とが接続されている。コントロールスイッチ３０８は屈折力測定用パターン像２０３”表示器３０５に表示させるための切り換えスイッチ３５１を有する。
　演算制御回路３０１には、メモリ３１０、３１１に記憶された測定データを文字と数値とに変換し、ゲート回路３０２を介してディスプレイインターフェイス３０４に出力するキャラクタ回路３０６も接続されている。
ＩＩＩ．測定手順及び動作
１）アライメント
検者がコントロールスイッチ３０８の電源スイッチ３０８１をＯＮする。すると、演算・制御回路３０１によってドライバ回路３１６、３１７が作動され、光源４０、４１、４２、３０が同時に点燈される。と共に、演算・制御回路３０１によって駆動回路３１３が作動され、これによってエリアＣＣＤ５が走査される。その際、演算・制御回路３０１はゲート回路３０２をエリアＣＣＤ５からのアナログ信号がディスプレイインターフェース３０４に送出されるように切替える。これにより、被検眼Ｅの前眼部は光源４０からの光ｅで照明され、また、アライメント用光源４１からのアライメント光ｆは前眼部で反射され、両光ｅ、ｆは角膜計測系１の測定光学系１１を通ってエリアＣＣＤ５上に前眼部像としてと共にアライメント指標である光源４１の像としてそれぞれ結像される。
　一方、エリアＣＣＤ５には照準スケール光ｄによる照準スケール４４の像が結像されている。これら３個の像はエリアＣＣＤ５によりアナログ信号に変換されて出力され、そのアナログ信号はディスプレイインターフェース３０４を介して表示器３０５に入力される。これによって、表示器３０５は第９図（ａ）、（ｂ）に示すように前眼部像ＥＡ、照準スケール像４４’、アライメント指標像４１’として画像表示する。なお、光源４１の代りにスポット投影像が角膜頂点から反射されるようなスポット投影光学系を設け、そのスポット投影像を受光素子５上に結像させ、そのスポット投影像がエリアＣＣＤ５上の予め定められた範囲内にあるか否かによってアライメントの合否を判定する構成としてもよい。
　被検者は光源３０で照明された固視チャート３２ａを屈折力測定系２と一部共用されている固視・自覚計測系３を介して視認するもので、これによってその被検者の被検眼Ｅの視軸が固定される。
　検者は、第９図（ａ）に示すようにアライメント指標像４１’が照準スケール像４４’外にあるときには、照準スケール像４４’内にアライメント指標像４１’（第９図（ｂ）参照）が入るように装置光学系全体を上下左右に移動させ、被検眼Ｅの光軸と対物レンズ１１０の光軸とを一致させる。また、前眼部像ＥＡが鮮明な画像となるように装置光学系全体を前後に移動させてワーキングディスタンスを正規の距離に調整する。
２）屈折力の大略測定
　検者はアライメントが完了すると、コントロールスイッチ３０８の測定開始スイッチ３０８２をＯＮにする。演算・制御回路３０１はその指令によってドライバ回路３１６、３１７、３２５への指令を停止し、光源４０、４１、４２を短時間の間消燈させる。ただし、ドライバ回路３２６への指令は継続し、光源３０は点燈し続ける。演算・制御回路３０１は、光源４０、４１、４２の消燈期間中にドライバ回路３１４、３１５に作動指令を行ない、光源１０２、２００を点燈させる。以後、角膜曲率半径、他覚屈折力測定が終了するまでの間、光源４０、４１、４２と光源１０２、２００の点燈とが交互に行われる。なお、光源１０２、２００が点灯中、表示器３０５には前眼部観察像が表示されないので、このときに、表示器３０５に、たとえば、「測定中」の文字表示をさせるようにしてもよい。またあるいは、フレームメモリ３２４に前眼部像を記憶させるメモリエリアを設けておいて、このメモリエリアに記憶された前眼部像を光源１０２、２００の点灯中、すなわち、測定中に表示器３０５に表示させるようにしてもよい。
　角膜計測光ａは、光源１０２の発光によって角膜計測用のパターンである円環状開口１００を通って角膜Ｃに投影される。その角膜Ｃに基づく虚像１００’は、角膜計測系１の測定光学系１１によってエリアＣＣＤ５の中央の角膜計測エリア５ａ内（第６図参照）に結像される。その光源１０２の発光と同時に、他覚屈折力計測系２の発光ダイオード２００も屈折力計測光ｂを発光し、被検眼Ｅの眼底ＥＲにリングパターン像２００’が投影され、このリングパターン２００’の眼底反射光が測定光学系２１を介してエリアＣＣＤ５の周辺部の屈折力計測エリア５ｂに投影される。
　演算・制御回路３０１が駆動回路３１３を作動させ、エリアＣＣＤ５が走査されると、その画像出力すなわち角膜計測用パターン像１００”と屈折力計測用パターン２０３”の画像出力とがゲート回路３０２とＡ／Ｄ変換器３０３とに出力される。Ａ／Ｄ変換器３０３はエリアＣＣＤ５からのアナログ信号をＡ／Ｄ変換し、そのデジタル信号はフレームメモリ３２４に入力される。フレームメモリ３２４には一画面分の情報が記憶されるもので、フレームメモリ３２４は演算・制御回路３０１とＤ／Ａ変換器３２４！とに一画面分の情報を出力する。
　演算・制御回路３０１は、第７図に示すように、フレームメモリ３２４のメモリ番地を予め定められた読み出し走査Ｇ１、Ｇ２、…、Ｇｉ、…、Ｇｌ、…、Ｇｎに従って放射状に読み出し走査する。これにより、エリアＣＣＤ５上に同時に結像投影された角膜計測用パターン像１００”と屈折力計測用パターン２０３”との二つの像に相当するデータが読み出し走査される。被検眼が強度の遠視の場合は、第６図に示すように屈折力計測用パターン像２０３”がエリアＣＣＤ５外に投影されるので、上記の読み出し走査においては、角膜計測用パターン１００”上の座標ｋｇ１、ｋｇ２、…、ｋｇｉ、…、ｋｇ１、…、ｋｇｎのみが読み出されることとなる。
　また、被検Ｅが強度近視の場合は、角膜計測用パターン像１００”と屈折力計測用パターン像２０３”とが接近することとなる。
　この両者の場合には、演算・制御回路３０１はドライバ回路３１８に指令信号を出力し、パルス発生器３１２からのパルスをパルスモータ３２１に供給し、移動筐体部２１９を移動させて屈折力計測用パターン像２０３”がエリア５ｂ内に投影されるように、かつ、屈折力計測用パターン像２０３”と角膜計測用パターン像１００”とが所定間隔以上の間隔を保つように制御する。この移動筐体部２１９の移動によって、合焦レンズ２１６が移動されるが、固視・自覚計測系３を通して被検眼Ｅに観察される固視用チャート３２ａは被検眼Ｅの屈折力に対して＋１．０〜２．０Ｄの雲霧視状態となるように設計されている。
　その移動筐体部２１９を移動させるためにパルスモータ３２１に供給されたパルスの個数は演算・制御回路３０１内の計数回路で計数され、その計数値が移動筐体部２１９の移動量として第１メモリ３０９に記憶される。
３）角膜曲率半径測定及び他覚屈折力の精測定
　制御回路３０１は、上記の大略測定に基づいて移動筐体部２１９を移動させた後の最終的なエリアＣＣＤ５による受像画像に基づくフレームメモリ３２４内のデータをもとにして第７図に示すように読み出し走査Ｇ１、Ｇ２、…、Ｇｉ、…、Ｇｌ、…、Ｇｎを行なって角膜計測用パターン１００”上の点ｋｇ１、ｋｇ２、…、ｋｇｉ、…、ｋｇｌ、…、ｋｇｎの座標を得る。同様に、屈折力計測用パターン像２０３”上の点Ｒｇ１、Ｒｇ２、…、Ｒｇｉ、…、Ｒｇｌ、…、Ｒｇｎの座標を得る。
３−１）角膜曲率半径の測定
　演算制御回路３０１は、得られた点ｋｇ１、ｋｇ２、…、ｋｇｉ、…、ｋｇｌ、…、ｋｇｎの座標からパターン１００”の楕円形状を計算する。楕円１００”の長軸（Ｘｋ軸）の半径Ｓｘｋが角膜Ｃの弱主経線の曲率半径Ｒ１に相関し、短軸（Ｙｋ軸）の半径Ｓｙｋが弱主経線の曲率半径Ｒ２に相関し、長軸の角度θｋ１及び短軸の角度θｋ２がそれぞれ強主経線の軸角度θ１、弱主経線の軸角度θ２に相当する。
　Ｘｋ−Ｙｋ座標系における楕円１００”の一般式は、
　Ａｘ２＋Ｂｙ２＋Ｃｘｙ＝１……（１）
として表わされる。
　また、パターン１００”の半径Ｓｋは第８図に示すように角膜Ｃの曲率半径をＲとし、円環状開口１００までの高さをｈ、ワーキングディスタンスを１、投影光学系全体の倍率をβとすると、
　　　Ｓｋ＝Ｙ×β
　　　Ｙ＝ｈ×ｒ／２ｌ……（３）
の関係があるので、第７図に示す例の場合、（１）、（２）式からＳｘｋ、Ｓｙｋを求めて、（３）式から強主経線の曲率半径Ｒ１は
弱主経線の曲率半径Ｒ２は、同様に
として求めることができる。
　また、強主経線の軸角度θ１＝θｋ２、弱主経線の軸角度θ２＝θｋ１と求められる。こうして求められた曲率半径Ｒ１、Ｒ２及び軸角度θ１、θ２はキャラクタ回路３０６及びディスプレイインターフェース３０４を介して第９図（ｂ）に示すように表示器３０５に前眼部像と一緒に表示されると共に第２メモリ３１０に記憶される。
　３−２）他覚屈折力測定
　読み出し走査で求められた屈折力計測用パターン像２０３”の点Ｒｇ１、Ｒｇ２、…、Ｒｇｉ、…、Ｒｇｌ、…、Ｒｇｎの座標に基づいて、上記（１）式、（２）式と同様に、
　　ＸＲ−ＹＲ座標における楕円２０３”の一般式は
　Ａｘ２＋Ｂｙ２＋Ｃｘｙ＝１……（１）
として表わされる。この（１），（２）式よりＳｘＲ、ＳｙＲを求め、強主経線の屈折力Ｄ１、弱強主経線の屈折力Ｄ２は正視（Ｏ　Ｄｉｏｐｔｐｒ）のパターン像２０３”の半径をｒ０とすると、第７図に示す例では、
として求められる。ここでｆは測定光学系２１の合成焦点距離、ｘは基線長（すなわち被検眼瞳位置におけるリング絞りの共役像の半径）である。
　次に演算・制御回路３０１は第１メモリ３０９に記憶されていた移動筐体部２１９の移動量、すなわち、合焦レンズ２１６の移動量に相当するパルス数を読み出し、このパルス数から合焦レンズ２１６の移動による屈折力補正分ｄを上記（５）式で求められた強・弱各主径線の屈折力Ｄ１，Ｄ２に加え、（Ｄ１＋ｄ）、（Ｄ２＋ｄ）を求める。これにより被検眼の球面屈折力Ｓ、円柱屈折力Ｃ、円柱軸角度θは
　　Ｓ＝（Ｄ２＋ｄ）
　　Ｃ＝（Ｄ１＋ｄ）−（Ｄ２−ｄ）
　　θ＝θｋ
として求められる。演算・制御回路３０１はこの求められたＳ、Ｃ、θをキャラクタ回路３０６、ディスプレイインターフェース３０４を介して、表示器３０５に表示させると共に、第３メモリ３１１に記憶させる。
　ここで、得られた測定データとしての屈折力が信頼のおけるものか否かを判断するために、切り換えスイッチ３５１をオンすると、演算制御回路３０１の制御により、ゲート回路３０２がＤ／Ａ変換器３２４からのアナログ信号をディスプレイインターフェース３０４に向かって出力させる。これによって、表示器３０５には、たとえば、第９図（ｃ）に示すように屈折力測定用パターン像２０３”が表示される。この第９図（ｃ）において、２０３Ａ”はまつ毛等の影響を受けてゆがみの生じた部分を示している。なお、この実施例では、第９図（ｃ）に示すように測定データと共に屈折力測定用パターン像２０３”を表示する構成としたが、屈折力測定用パターン像２０３”のみを表示器３０５に表示する構成とすることもできる。また、この屈折力測定用パターン像２０３”をビデオプリンタ（図示を略す）を用いてプリントアウトする構成とすることもできる。
　更に、フレームメモリ３２４を２個設けて、一方に屈折力測定用パターン像を記憶させ、他方に前眼部像ＥＡを記憶させ、表示器３０５に双方を表示させる構成とすることもできる。
４）自覚屈折力測定
　検者が次にコントロールスイッチ３０８の自覚検眼スイッチ３０８３をＯＮすると、演算・制御回路３０１はドライバ３１４、３１５への指令を停止し、以後、光源１０２、２００はその発光を停止する。次に、検者がコントロールスイッチ３０８のチャート選択スイッチ３０８９で視力検査チャートを選択すると、演算・制御回路３０１はドライバ回路３１７を作動させ、パルス発生器３１２から所定パルス数のパルスがパルスモータ３２２に供給され、チャート板３２が回転され、視力表チャート３２ｂ（第１０図参照）が自覚計測系３の光路内に挿入される。
　演算・制御回路３０１は、第２メモリ３１１に記憶されていた被検眼Ｅの屈折特性Ｓ、Ｃ、θであって他覚屈折力測定で得られたところの被検眼Ｅの屈折特性Ｓ１、Ｃ１、θを読み出し、球面屈折力Ｓの値に基づいての合焦レンズ２１６を移動させるに必要なパルス数を計算し、その得られたパルス個数のパルスがドライバ回路３１８を介してパルスモータ３２１に供給され、移動筐体部２１９が移動され、もって、合焦レンズ２１６の移動が行われる。
　次に演算・制御回路３０１は円柱屈折力及び軸角度θからＶＣＣ３７を回転させるためのパルス数を計算し、その得られたパルス個数のパルスがドライバ回路３２０を介してパルスモータ３２３に供給され、ＶＣＣ３７が回転される。これにより、自覚計測系３は他覚屈折力測定で求められた被検眼Ｅの屈折力に応じた光学補正がなされたこととなる。
　被検者は自覚計測系３に挿入された視力表示チャート３２ｂを視て、そのランドルト環の切れ目方向を答える。検者は被検者の応答から被検眼Ｅの自覚視力を判定し、矯正視力が十分でないと判断したきにはコントロールスイッチ３１８の球面度数補正スイッチ３０８８を操作する。演算・制御回路３０１はスイッチ１８の指令によって、パルス発生器３１２からのパルスをドライバ回路３１８を介してパルスモータ３２１に供給し、矯正視力が向上する位置に合焦レンズを再移動させる。演算・制御回路３０１は、この合焦レンズの再移動時のパルス数を計数し、このパルス数から第（６）式のｄを再度求め、この新たなｄに基づいて（６）式でＳ１、Ｃ１、θを計算し、その数値を表示器３０５に表示させる。
　検者が次にコントロールスイッチ３０８で乱視チャート３０８５を選択すると、所定のパルス数のパルスがドライバ回路３１９を介してパルスモータ３２２に供給され、チャート板３２が回転されて、自覚計測系３の回路内に乱視チャート３２ｃが挿入される。被検者Ｅは挿入された乱視チャート３２ｃを見て、濃く見える線があるか否かを答え、被検者が「ある」と応答したときには、検者はコントロールスイッチ３１８の円柱軸補正スイッチ３０９０を操作する。
　演算・制御回路３０１はその指令に基づいて、パルスをドライバ回路３２０を介してパルスモータ３２３へ供給し、ＶＣＣ３７を回転させて円柱軸を補正する。演算・制御回路３０１はこのときのパルス数を計数し、その計数値に基づいて、円柱軸角度θが補正され、その補正後の円柱軸角度が表示器３０５に表示される。
　次に、検者がコントロールスイッチ３０８のクロスシリンダチャート３０８６を選択すると、制御回路３０１はパルスモータ３２３を制御してＶＣＣ３７の現にセットされている円柱度数Ｃを基準として、例えば±０．５Ｄの円柱軸角度差を交互に作り、そのときのチャート３２ｄの見え方の差を答えさせ、検者は見え方に差があるときにはコントロールスイッチ３０８の円柱度数補正スイッチ３０８９を操作し、演算・制御回路３０１はその指令に基づいてＶＣＣ３７を制御し、円柱度数が補正され、新たな円柱度数が表示器３０５に表示される。
　次に、検者はコントロールスイッチ３０８のレッドグリーンチャート３０８７を選択すると、制御回路３０１はパルスモータ３２２を作動させ、レッドグリーンチャート３２ｅが自覚計測系３内に挿入される。被検者はレッドグリーンチャート３２ｅの見え方を答え、検者はその応答によりコントロールスイッチ３０８の球面度数補正スイッチ３０８８を操作する。演算・制御回路３０１はその指令を受けてパルスモータ３２１を作動させ、合焦レンズ２１６を移動させ、球面度数Ｓが補正されると共に新らたな球面度数が表示器３０５に表示される。
５）　グレアテスト
　検者は次にコントロールスイッチ３０８のグレアテスト３０９１を選択する。すると、演算・制御回路３０１はドライバ回路３１９を介してパルスモータ３２２を作動させ、チャート板３２が回転され、視力表示チャート３２ｂが自覚計測系３の光路内に挿入されると同時にドライバ回路３２７が作動されて、グレア光源３３が発光される。
　被検者はグレア光源発光下のまぶしさの中で視力表示チャート３２ｂを視る。検者はその被検者の応答によって被検眼Ｅに軽度の白内障があるか、否かをそ知ることができる。なお、グレア光源はその明るさを可変できるように公知のボリューム等を付加してもよい。
　　（発明の効果）
　以上説明したように、本発明によれば、屈折力測定用パターン像も表示部に表示できる構成としたので、得られた測定データが信頼できるものであるか否かを視覚的に一目で判断できるという効果を奏する。
【図面の簡単な説明】
　第１図は本発明に係る自動眼屈折力測定装置を含む検眼装置の光学配置を示す図、第２図は他覚屈折力計測系の光路図、第３図は絞り１１４の平面図、第４図は絞り２１５の平面図、第５図は電気回路の構成を示すブロック図、第６図は受像素子とパターン像の関係を示す図、第７図はパターン系から角膜曲率半径と眼屈折力の測定原理を説明するための模式図、第８図は曲率半径測定原理を説明するための図、第９図（ａ）、第９図（ｂ）、第９図（ｃ）は表示器の表示状態を示す図、第１０図は自覚計測用のチャートの例を示す図、第１１図はコントロールスイッチのスイッチ配置を示す図である。
　　１…角膜計測系、２…他覚屈折力測定系、
　３…固視及び自覚計測系、
　４…前眼部観察及びアライメント系、
　５…エリアＣＣＤ、
　　２０３”…屈折力測定用パターン像
　　３０１…演算制御回路、　３０２…ゲート回路
　３０４…ディスプレイインタフェース
　３０５…表示器、　　　　３２４…フレームメモリ
　３２４’…Ｄ／Ａ変換器、３５１…切り換えスイッチ